(57)【要約】【課題】システムの設置費用を削減することが可能な電気接続器および照明システムを提供する。【解決手段】被取付部３０に取付けられる接続部４２と；照明器具５０を接続する複数個の器具接続部４３と；制御信号を受信する受信部４４と；受信した信号により照明器具を制御する制御部４５と；接続部、器具接続部および制御部を配設した本体４１と；を具備した電気接続器４０を構成する。【選択図】        図１
2009231085.tif 000002
【特許請求の範囲】
【請求項１】
被取付部に取付けられる接続部と；
照明器具を接続する複数個の器具接続部と；
制御信号を受信する受信部と；
受信した信号により照明器具を制御する制御部と；
接続部、器具接続部および制御部を配設した本体と；
を具備したことを特徴とする電気接続器。
【請求項２】
前記接続部は長尺状の被取付部に取付けられ、前記複数個の器具接続部は、長尺状の被取付部の長手方向に略沿うように互いに離間して本体に配設され、受信部は器具接続部が配設された面と異なる面に配設されたことを特徴とする請求項１記載の電気接続器。
【請求項３】
電源に接続される被取付部と；
被取付部に接続される請求項１または２記載の電気接続器と；
電気接続器に接続される照明器具と；
を具備したことを特徴とする照明システム。
【発明の詳細な説明】
【技術分野】
【０００１】
本発明は、配線ダクト等に接続される電気接続器、およびこの電気接続器に接続される照明器具を備えた照明システムに関する。
【背景技術】
【０００２】
従来、この種の配線ダクトを用いた照明システムは、店舗等における商品や展示物をスポット的に照明するために広く利用されている。その構成は、天井に設置された配線ダクトに、複数のスポットライト等の照明器具を接続して設置し、商品や展示物の位置に合わせて照明器具をスライドさせ、目的に合った照明環境を作り出すようにしている。
【０００３】
一方、より多様な照明環境を作り出すために、リモコンにより調光や好みの照明シーンに切り替えることができる照明システムが提案されている（例えば、特許文献１）。この照明システムは、リモコンからの無線信号により照明器具を制御する制御部を内蔵したアダプタ、すなわち電気接続器を構成し、この電気接続器の上部を配線ダクトに接続し、下面に照明器具を接続して照明器具を配線ダクトに沿ってスライド移動させると共に、リモコンで無線信号を送信して制御部により多用な照明環境を作り出すことができる。
【特許文献１】特開平５−４７４７６号公報
【発明の開示】
【発明が解決しようとする課題】
【０００４】
しかしながら、特許文献１に示される照明システムは、制御部をもつ電気接続器に対し１台の照明器具しか接続することができない。このため、店舗等の照明で明るさが不足した場合、制御部をもつ電気接続器を必要な照明器具の数だけ用意しなければならない。この制御部はマイクロコンピュータ等の高価な電子部品を多く使用しているため価格的に高価なものとなり、通常の安価な照明器具だけを必要な台数用意すればよかった従来のシステムと比べ、設備費用が嵩み、この種リモコン式照明システムの問題となっている。
【０００５】
本発明は、上述した問題を解決するためになされたもので、システムの設置費用を削減することが可能な電気接続器および照明システムを提供しようとするものである。
【課題を解決するための手段】
【０００６】
上記目的を達成するために、請求項１に記載の電気接続器の発明は、被取付部に取付けられる接続部と；照明器具を接続する複数個の器具接続部と；制御信号を受信する受信部と；受信した信号により照明器具を制御する制御部と；接続部、器具接続部および制御部を配設した本体と；を具備したことを特徴とする。
【０００７】
本発明によれば、照明器具を接続する複数個の器具接続部を具備した電気接続器により、１個の電気接続器に複数台の照明器具を接続することができるので、照明システムの構築にあたり高価な電気接続器の使用台数を減らすことができ、設備費用の削減が可能となる。
【０００８】
本発明において、電気接続器を取付ける被取付部は、天井面等に設置される長尺状の配線ダクトであることが好ましいが、ここでは、天井面に設置されるローゼット等、単独の接続器であってもよい。配線ダクト等の被取付部に接続される接続部は、電気的および機械的に同時に接続されることが好ましいが、電気的接続と機械的接続を別々に接続するように構成してもよい。照明器具を接続する複数個の器具接続部は、接続される照明器具の重量等から２台程度の照明器具を接続することが好ましいが、３台以上、複数の照明器具が接続されるものが許容される。器具接続部は、照明器具と電気的および機械的に同時に接続されることが好ましいが、電気的接続と機械的接続を別々に接続するように構成してもよい。また、照明器具と器具接続部は、別個のプラグ部材等を介して着脱が可能になるように接続されても、着脱ができないように固定して接続支持されるものであってもよい。さらに、照明器具は、配線ダクト等の被取付部に対しスライドさせて移動させる際に、バランスよく円滑に移動できるように、複数個の器具接続部を長尺状の配線ダクト等の長手方向に略沿うように互いに離間して本体にバランスよく配設されることが好ましいが、長手方向に略直交する方向に沿って配設されたものであってもよい。
【０００９】
制御信号を受信する受信部は、外部のリモコンからの無線信号を受信するが、無線信号は、例えば、赤外線が許容されるが、他の電気的な無線信号であってもよい。受信部は、１個の受信部で受信して複数の照明器具を制御するようにしても、受信感度を高めるためなどの目的から複数個配設して構成してもよい。受信部は、器具接続部に接続された照明器具が信号の影にならないように、器具接続部が配設された面と異なる面に配設されることが好ましいが、器具接続部が配設された面と同一の面に配設されるものであってもよい。受信した信号により照明器具を制御する制御部は、複数の照明器具を全点灯／全消灯する機能に加え、複数の照明器具毎に制御する機能、明るさを調節する調光機能、好みの照明シーンを記憶する機能等、各種の制御機能を有していることが好ましいが、少なくとも全点灯／全消灯する機能を備えていることが望ましい。
【００１０】
本体は、制御部を内蔵できるよう、また、配線ダクト等の被取付部との接続部および器具接続部が外面に面するように、直方体等の収納ケースをなしていることが好ましいが、その形状は円筒状や円盤状などでもよく特定の形状には限定されない。また材質は、ポリカーボネイト樹脂やアクリル樹脂等の強固な合成樹脂で構成しても、さらにはアルミダイカスト等の金属で構成してもよい。
【００１１】
請求項２に記載の発明は、請求項１記載の電気接続器において、前記接続部は長尺状の被取付部に取付けられ、前記複数個の器具接続部は、長尺状の被取付部の長手方向に略沿うように互いに離間して本体に配設され、受信部は器具接続部が配設された面と異なる面に配設されたことを特徴とする。
【００１２】
器具接続部が配設された面と異なる面に配設された受信部は、１個でも複数個でもよく、複数個の場合、全ての受信部が、器具接続部が配設された面と異なる面に配設されていても、または、一部が、器具接続部が配設された面と異なる面に、一部が、器具接続部が配設された面に配設されたものであってもよく、要は少なくとも１個の受信部が、器具接続部が配設された面と異なる面に配設されていればよい。
【００１３】
請求項３に記載の照明システムの発明は、電源に接続される被取付部と；被取付部に接続される請求項１または２記載の電気接続器と；電気接続器に接続される照明器具と；を具備したことを特徴とする。
【００１４】
本発明の照明システムは、店舗等における照明システムとして適用されるが、一般住宅、さらにはオフィス等、他の業務用など全ての照明システムに適用される。被設置面に設置される配線ダクトは、天井に設置されることが一般的であるが、例えば、壁面などの被設置面に設置してもよい。電源は、交流電源でも、直流電源でもよい。照明器具はスポットライトが好適であるが、ペンダントライトやダウンライト等、他の形式の照明器具であってもよい。また、照明器具は、リモコン専用、すなわち、制御部を有する電気接続器にのみ接続が可能な専用の照明器具であっても、リモコン式でない配線ダクト等にも接続可能な汎用性のある照明器具であってもよい。
【発明の効果】
【００１５】
請求項１の発明によれば、照明器具を接続する複数個の器具接続部を具備した電気接続器により、１個の電気接続部に複数台の照明器具を接続することができるので、照明システムの構築にあたり高価な電気接続器の使用台数を減らすことができ、設備費用の削減が可能な電気接続器を提供することができる。
【００１６】
請求項２の発明によれば、複数個の器具接続部は、長尺状の被取付部の長手方向に略沿うように互いに離間して本体に配設されるので、複数の照明器具を配線ダクト等に対してスライドさせて移動させる際に、バランスよく円滑に移動することができる。また、受信部は器具接続部が配設された面と異なる面に配設されたので、器具接続部に接続された照明器具が、無線信号の影になることが防止され、信号を確実に受信することが可能な電気接続器を提供することができる。
【００１７】
請求項３の発明によれば、設備費用の削減が可能な照明システムを提供することができる。
【発明を実施するための最良の形態】
【００１８】
以下、本発明の電気接続部および照明システムの実施形態につき説明する。
【実施例１】
【００１９】
本実施例は、被取付部として配線ダクトを使用した店舗用の照明システムを構成した実施形態であり、そのシステムの構成およびシステムに用いられる電気接続器の構成を図１〜図６に従い説明する。
【００２０】
本発明の照明システム１０は、電源２０、被取付部、本実施例では長尺状の配線ダクト３０、配線ダクトに接続される電気接続器４０、電気接続器に接続される照明器具５０で構成される。
【００２１】
まず、配線ダクトに接続される電気接続器４０の構成につき説明する。電気接続器４０は、ケース状をなす本体４１を有し、本体は強固な合成樹脂、本実施例では、ポリカーボネイト樹脂で構成した長い直方体からなり、各図において、上面に配線ダクトに接続される接続部４２、下面に照明器具を接続する２個の器具接続部４３、下面および両側面に制御信号を受信する受信部４４がそれぞれ設けられ、本体４１内に照明器具５０を制御する制御部４５が内蔵される。
【００２２】
配線ダクト３０に接続される接続部４２は、本体４１の両端部にそれぞれ１個ずつ計２個が設けられる。各接続部４２は、配線ダクト３０に敷設された２本の給電部材３０ｂにスライド接続される端子部４２ａ、４２ａを有し、端子部を配線ダクト３０の給電部材３０ｂに接続することによって、電気的な接続と機械的な接続が同時になされる。すなわち、各接続部４２は本体４１の鉛直線に対して約９０°の角度範囲において回転ができるように支持され、接続部の端子部４２ａを配線ダクト３０に挿入した後に、支持レバー４２ｃを閉じることによって配線ダクトに接続される（図２（ｂ）、図４）。これにより、２個の接続部４２、４２から給電させることができると共に、配線ダクト３０への機械的接続も２個の接続部で行うことができる。なお、支持レバー４２ｃを開き、接続部４２を逆方向に９０°回転させることにより、接続部４２を配線ダクト３０から取り外すことができ、電気接続器４０を外すことができる。
【００２３】
照明器具を接続する器具接続部４３は、長い直方体からなる本体４１下面の両端部、すなわち、長尺状の配線ダクト３０の長手方向に略沿うように互いに離間して、それぞれ１個ずつ計２個が設けられる。器具接続部４３は、後述する照明器具５０に設けられたプラグ５０ｅとの間で、電気的な接続と機械的な接続を行うもので、器具接続部４３の接続孔内面に設けられた一対の端子からなる受端子（雌型）４３ａを器具接続部４３に設け、照明器具５０のプラグ５０ｅに設けられる接続部５１の端子（雄型）５１ａを挿入し、約９０°回転することにより着脱が可能になるように接続される（図３）。なお、接続部５１を逆方向に９０°回転させることにより、接続部５１を器具接続部４３から取り外すことができ、照明器具５０を外すことができる。受端子（雌型）４３ａは、電線により接続部４２の端子部４２ａに接続される。
【００２４】
制御信号を受信する受信部４４は、器具接続部４３が配設された面と異なる面に配設されるように、長い直方体からなる本体４１下面の略中央部と、両側面の略中央部に１個ずつ計３個が設けられる。受信部４４は、外部のリモコンＲから送信される無線信号、本実施例では赤外線を受信し、受信した信号を電気信号に変換して制御部４５に伝送するもので、フォトダイオード等からなる受光素子からなり、その受光面を外部に露出させて本体４１の下面および両側面に配設する。
【００２５】
制御部４５は、図５に示すように、受信部４４により電気信号に変換された信号に応じて照明器具５０を制御するもので、マイクロコンピュータＣＰＵ等の電子部品からなる制御回路４５ａと、制御回路の出力信号に応じて、例えば、リレー等の開閉手段４５ｂで照明器具５０を制御する。制御回路４５ａは、複数の照明器具を全点灯／全消灯する機能、複数の照明器具毎に制御する機能、明るさを調節する調光機能、好みの照明シーンを記憶する機能等を有し、これら機能を行うための制御信号を出力して開閉手段４５ｂに伝送する。これら制御回路４５ａの電子部品はリレー等の開閉手段と共にプリント配線基板（図示せず）に実装され支持されて本体４１内に内蔵され収納される。
【００２６】
次に、上記に構成された、電気接続器４０は、図６に示すように、電源２０、配線ダクト３０、照明器具５０と共に、照明システム１０を構成する。電源２０は、交流電源からなる商用電源で、電源線２０ａを配線ダクト３０に敷設された２本の給電用の給電部材３０ｂ、３０ｂに接続して給電する。
【００２７】
配線ダクト３０は、本発明における被取付部を構成するもので、図４に示すように、アルミニウム等の金属または合成樹脂からなり、本実施例ではアルミニウムの引き出し成形により、１ｍ〜４ｍ程度、本実施例では約３ｍの長尺な箱体の下面をその長手方向に沿って開口した断面が略コ字状をなすように構成する。また、箱体内面の左右両側壁には、電気絶縁体からなる一対の支持部材３０ａがそれぞれの長手方向に沿って設けられ、この支持部材に支持されて長手方向に沿い互いに対向するように給電用の一対の給電部材３０ｂ、３０ｂが敷設されている。配線ダクト３０の端部には、一対の給電部材３０ｂの一端と、それぞれ接続された電源線２０ａが収納される給電用のキャップ３０ｃが取り付けられている（図６）。上記に構成された配線ダクト３０は、木ネジ等の手段で被設置面である天井面Ａに設置される。
【００２８】
照明器具５０は、図３に示すように、スポットライトを構成するもので、器具本体５０ａと、器具本体に内蔵されたソケット５０ｓに着脱ができるように装着されるハロゲン電球からなるランプ５０ｂと、器具本体の端部に一端が自在ジョイント５０ｃにより連結されたパイプ５０ｄと、パイプの他端に接続されたプラグ５０ｅからなる。プラグ５０ｅは、強固な合成樹脂、本実施例では、ポリカーボネイト樹脂で構成し上面を開放した円筒体からなる本体ケース５０ｆを有し、本体ケースに接続部５１の端子（雄型）５１ａを設け、電気接続器４０の器具接続部４３に設けられた受端子（雌型）４３ａ対して回転結合して着脱が可能になるように接続する。本体ケース５０ｆに設けられた接続部５１の端子（雄型）５１ａは、電線によりパイプ５０ｄを介して器具本体５０ａ内のソケット５０ｓに接続される。
【００２９】
本実施例における電気接続器４０は、２個の器具接続部４３、４３を有しており、２台の照明器具が接続できる。２台の照明器具は、例えば、同一仕様のスポットライトでも、ランプのワットや色の異なるスポットライト、ペンダントライトやダウンライト等でもよい。この場合、異なる仕様の照明器具においても、上述したプラグ５０ｅの構造は同一に構成され、上記スポットライトと同様に器具接続部４３に接続することができる。
【００３０】
上記に構成した電源２０、配線ダクト３０、電気接続器４０、照明器具５０により、図６に示す照明システム１０が構築される。すなわち、店舗に展示される商品の真上付近の天井面Ａに、約３ｍの長さの配線ダクト３０を、その開口が下面に面するようにして、木ネジで取り付ける。さらに電源線２０ａ、２０ａを配線ダクト３０端部の給電部材３０ｂ、３０ｂに接続して配線を行い、給電用のキャップ３０ｃを被せて取り付ける。
【００３１】
上記により天井面Ａに設置された配線ダクト３０に複数個、本実施例では４個の電気接続器４０を接続する。各電気接続器は、その上面の両端部に設けられた２個の接続部４２、４２の各一対の端子部４２ａ、４２ａを、配線ダクト３０に敷設された２本の給電部材３０ｂ、３０ｂに挿入し支持レバー４２ｃを閉じて接続する。これにより、電気接続器４０は、電気的な接続と機械的な接続が同時になされ、かつ長尺状の配線ダクト３０の長手方向に沿って自由にスライド移動できるように接続される。上記に接続された４個の電気接続器４０は、スライドさせて展示された各商品を照らすように商品に対応した位置に設置する。この際、各電気接続器４０は、両側面に配設された受信部４４が店舗中央側に面するように、すなわち壁面側などに向かないようにして、リモコンＲからの無線信号が受信部４４に十分に届くような向きにして配線ダクト３０に接続する。
【００３２】
次に、照明器具５０を接続する。照明器具５０は、同一仕様の複数のスポットライトやランプのワットや色の異なるスポットライト、さらにはペンダントライト等が用意され、まず、同一仕様の各スポットライト５０を用意し、そのプラグ５０ｅに設けられた接続部５１の端子（雄型）５１ａを、電気接続器４０の器具接続部４３に設けられた受端端子（雌型）４３ａに対して挿入し回転させて接続する。この際、電気接続器４０は、両端に２個の器具接続部４３、４３が設けられているので、展示される商品の位置に合わせて左右いずれかの器具接続部４３を選択してスポットライト５０を接続する。また、特に明るいスポット照明を必要とする商品に対応した位置の電気接続器４０ｘには、左右両方の器具接続部４３、４３、それぞれに１台ずつ計２台のスポットライト５０（Ｌ１）、５０（Ｌ２）を接続する。
【００３３】
上記により、各スポットライト５０が配線ダクト３０にセットされ、別途用意されたリモコンＲを上方のスポットライト５０に向けて操作する。これにより、電源２０から配線ダクト３０の給電部材３０ｂ→電気接続器４０の端子部４２ａ→器具接続部４３→スポットライト５０のプラグ５０ｅ→器具本体５０ａのソケット５０ｓを介してランプ５０ｂに給電され点灯する。そして、リモコンＲにより制御部４５に組み込まれた機能、すなわち、複数の照明器具を全点灯／全消灯する機能、複数の照明器具毎に制御する機能、明るさを調節する調光機能、好みの照明シーンを記憶する機能等、それぞれを切り替えて照明の状況を観察する。この結果を基に、電気接続器４０を配線ダクト３０に対してスライド移動させて各スポットライト５０の位置および角度を調整する。各スポットライト５０をスライド移動させる際に、器具接続部４３は、長い直方体からなる本体４１下面の両端部、すなわち、長尺状の配線ダクト３０の長手方向に略沿うように互いに離間して、それぞれ１個ずつ計２個が設けられているので、スポットライト５０の重量が配線ダクト３０の長手方向に沿って均等にかかり、円滑に移動させることができる。
【００３４】
また、明るさが不足する場合や、色の異なる照明が必要な場合には、対応する電気接続器４０ｙに対して、残りの空いた器具接続部４３´に必要な仕様の、もう１台のスポットライト５０(Ｌ３)を接続する。または、すでに接続されたスポットライトに替えて必要な仕様のスポットライトを接続する。図中５０（Ｌ４）は、ペンダントライトである。この際、異なる仕様のスポットライトやペンダントライトにおいても、プラグ５０ｅの構造は同一に構成され、すでに接続されたスポットライトと同様に電気接続器４０の残りの空いた器具接続部４３に問題なく接続することができる。
【００３５】
上記のように１個の電気接続器４０ｘ、４０ｙに接続された２台の照明器具５０(Ｌ１、Ｌ２)および５０(Ｌ３、Ｌ４)は、制御部により２台が同時に、例えば上述した、明るさを調節する調光機能、好みの照明シーンを記憶する機能等で制御されるようにしても、または、１台ずつ個別に制御されるようにしてもよい。なお、各照明器具５０のセットが完了したら配線ダクト３０の開放部はダクトカバーで閉塞する。
【００３６】
上記により照明システム１０の構築が完成し、リモコンＲを操作することにより構築されたシステムをＯＮ／ＯＦＦする。また、商品を変えたり、展示方法を変更した場合には、リモコンＲを操作して、組み込まれた各種の照明機能を切り替えて所望の照明環境をさらに構築する。リモコンＲを操作する際に、制御信号を受信する受信部４４は、器具接続部４３が配設された面と異なる面、すなわち、本体４１下面の略中央部と、両側面の略中央部に１個ずつ計３個が設けられているので、受信部４４の受光範囲を広くすることができ、照明器具５０がリモコンからの無線信号の影になって反射しても確実に受信することができる。
【００３７】
以上、本実施例によれば、目的とする店舗照明等の照明環境を容易かつ確実に実現することができると共に、制御部４５を内蔵した電気接続器４０に２個の器具接続部４３を設けたので、明るさが不足する場合や、色の異なる照明が必要な場合等には、高価なマイクロコンピュータ等の電子部品からなる制御部を持たない通常の安価な照明器具を単に接続すればよく、特許文献１に示されるような制御部をもった高価な照明器具を用意する必要がない。換言すれば、照明システムの構築にあたり制御部を有する高価な電気接続器の使用台数を減らすことができ、照明システム構築のための設置費用を大幅に削減することができる。
【００３８】
また、必要な仕様の照明器具の増設、交換等は、設置時と同様にプラグの着脱操作のみで簡単、かつ確実に行うことができる。特に住宅等に設置した場合でも専門の作業員によらず、素人でも行うことが可能となる。また、２個の器具接続部は、同一の構造、形状の部品で構成することができるため、大量生産が可能で大幅なコスト上昇を避けることができる。２個以上の器具接続部を設ける場合には、さらにコスト的に有利になる。
【００３９】
また、電気接続器４０には、制御信号を受信する受信部４４を本体４１下面の略中央部と、両側面の略中央部に１個ずつ計３個が設けられているので、受信部の受光範囲を広くすることができ、受信感度を向上することができる。
【００４０】
また、本実施例において、電気接続器４０に２個の器具接続部４３を設け、２台の照明器具が設置できるようにしたため、リモコンからの無線信号が台数の多い照明器具で反射され易くなり、例えば、電気接続器４０の下面に受信部を１個だけ設けた方式の場合、受信感度が低下するが場合があるが、本実施例では受信部４４を本体４１下面の略中央部と、両側面の略中央部に、合計３個設けたので、受信感度が低下することがない。また、配線ダクト３０が壁面に近い部分に設置されて側面の受信部に無線信号が届き難くなった場合でも、本体下面の受信部や他方の側面の受信部で受信することができ、照明器具の設置場所を選ばずに施工することができる。
【００４１】
器具接続部４３は、長い直方体からなる本体４１下面の両端部、すなわち、長尺状の被取付部である配線ダクトの長手方向に略沿うように互いに離間して、それぞれ１個ずつ計２個が設けられているので、照明器具の重量が配線ダクトの長手方向に沿って均等にかかり、円滑に移動させることができる。因みに、２台の照明器具の重量が片方に片寄ってかかった場合には、配線ダクト３０の給電部材３０ｂと電気接続器４０の端子部４２ａとの係合部分に２台の照明器具の重量がかかり、摩擦が生じて円滑にスライド移動することができない。また、器具接続部４３は、互いに離間して設けたので、各器具接続部４３、４３に接続した照明器具も離間して接続配置されるので、ランプ同士が発生する熱の影響を互いに受け難くなる。
【００４２】
以上、本実施例において、配線ダクト３０に接続される接続部４２は、本体の両端部にそれぞれ１個ずつ計２個を設けたが、本体上面の略中央部に１個設けるように構成してもよい。受信部４４は本体４１下面の略中央部と、両側面の略中央部に設けたが、側面の受信部は片側の側面にのみ設け計２個の受信部で構成してもよい。
【００４３】
電気接続器４０の受端子（雌型）４３ａを、配線ダクトの３０の給電部材３０ｂ、３０ｂと同様の構造および同一の寸法に構成し、また、照明器具５０の端子（雄型）５１ａを、電気接続器４０の接続部４２と同様の構造および同一の寸法に構成し、照明器具５０の端子（雄型）５１ａが、器具接続部４３の受端子（雌型）４３ａにも、配線ダクト３０の給電部材３０ｂ、３０ｂにも接続できるように構成してもよい。これによれば、この端子（雄型）５１ａを有する照明器具５０は、配線ダクト３０へ直接の接続が可能になり、電気接続器接続用と配線ダクト直付け用の両者を兼用させることができ器具の汎用性を増すことができる。
【００４４】
また、配線ダクト３０の端部にＡＣ／ＤＣ変換器を設けて、配線ダクトに直流を給電するようにしてもよい。または、制御部４５の制御回路４５ａの電源側に、ＡＣ／ＤＣ変換回路を設けるようにして照明器具５０に直流を給電するようにしてもよい。
【００４５】
本実施例において、天井面等に設置された長尺状の配線ダクトに電気接続器を取付けたが、天井面に複数の引掛けローゼット等、単独の接続器を所定の間隔をもって設置し、これら接続器に電気接続器を接続し照明器具を取付けるようにしてもよい。
【００４６】
以上、本発明の好適な実施形態を説明したが、本発明は上述の実施例に限定されることなく、本発明の要旨を逸脱しない範囲内において、種々の設計変更を行うことができる。
【図面の簡単な説明】
【００４７】
【図１】本発明の第一実施形態における電気接続器および照明システムを示す斜視図。
【図２】同じく電気接続器を示し、（ａ）は正面図、（ｂ）は下面図、（ｃ）は側面図。
【図３】同じく電気接続器と照明器具を示し、照明器具を電気接続器に接続する状態を示す正面図。
【図４】同じく配線ダクトと電気接続器を示し、電気接続器を配線ダクトに接続した状態を示す側面図。
【図５】同じく電気接続器および照明システムを示し、制御部の制御回路を示すブロック図。
【図６】同じく店舗に構築された照明システムを示す正面図。
【符号の説明】
【００４８】
１０  照明システム
２０  電源
３０  被取付部
４０  電気接続器
４１  本体
４２  接続部
４３  器具接続部
４４  受信部
４５  制御部
５０  照明器具
Ａ    被設置面
【図１】
2009231085.tif 000003
【図２】
2009231085.tif 000004
【図３】
2009231085.tif 000005
【図４】
2009231085.tif 000006
【図５】
2009231085.tif 000007
【図６】
2009231085.tif 000008